Podtech/llm-jp-corpus-v4-ja_patent huggingface dataset:
(57)【要約】【課題】天候に影響されないクリーンな発電を行うため、重力とテコの原理で作動する本発明を提供する。【解決手段】ある高さから白ボール（３）を落とす。この重力落下による衝撃エネルギーをテコの原理で増幅する。この増幅された衝撃エネルギーで、黒ボール（２）を白ボール（３）が落ちてきた高さまで飛ばす。この動きを繰り返す本発明を作ることで、発電のための動力を提供する。【選択図】図１
2014227997.tif 000002
【特許請求の範囲】
【請求項１】
物体の重力落下による衝撃エネルギーをテコの原理で増減させる手法。
【請求項２】
テコの原理で作用点側（７ｃ）の力を利用して、物体を飛ばす手法。
【発明の詳細な説明】
【技術分野】
【０００１】本発明は、自然現象を利用した発電に関するものである。
【背景技術】
【０００２】クリーンな発電と言われる風力や太陽光発電は、天候により発電量が左右される。
【先行技術文献】
【０００３】特開平９−１９５９２２号公報
【発明の概要】
【発明が解決しようとする課題】
【０００４】クリーンな発電には天候に影響される課題があった。本発明は、この課題を解消するためになされたものである。
【課題を解決するための手段】
【０００５】重力とテコの原理で作動する本発明を提供する。最初に黒ボール（２）を作用点側（７ｃ）の先端へ置く。次に白ボール（３）を投入口（１）から入れる。白ボール（３）は起動通路（４）の傾きにより右側へ転がり、落下通路を通ってテコ台（７）の力点側（７ｂ）の先端に落下する。この落下衝撃でテコの原理を働かせる。テコの原理が働くと、支点（７ａ）を軸にしてテコ台（７）が時計回りに回転する。この回転はテコ台（７）が作用点側ピン（８）に接触することで止まるが、黒ボール（２）は慣性の法則により上昇通路を通りすぎて起動通路（４）まで移動する。テコ台（７）の回転が止まった後、テコ台（７）は重さのバランスから左側に傾く。この傾きによって、白ボール（３）はテコ台（７）の作用点側（７ｃ）の先端まで転がる。これで、黒ボール（２）と白ボール（３）の位置が入れ替わる。そして、起動通路（４）の傾きから黒ボール（２）が転がり始め、一連の動作を繰り返す。
【発明の効果】
【０００６】重力とテコの原理で作動する本発明を利用することで、天候に影響されないクリーンな発電を可能にする。
【図面の簡単な説明】
【０００７】
【図１】本発明の正面図である。
【発明を実施するための形態】
【０００８】以下、本発明の実施形態について説明する。
（イ）．本発明はパチンコ台のように全面が覆われたボールが飛び出さない構造にする。
（ロ）．図１の黒ボール（２）と白ボール（３）は説明上、色の違いを出しているが２つは同じものとする。
（ハ）．図１の起動通路（４）は、右側が下がる傾斜にする。
（ニ）．図１のおもり（７ｄ）は、力点側（７ｂ）の先端に白ボール（３）をのせた静止状態で、テコ台（７）の左側がわずかに重くなるようにする。
（ホ）．図１の起動通路（４）とテコ台（７）の高低差は、白ボール（３）の落下や上昇のベクトルを考慮したものとする。
（ヘ）．図１のテコ台（７）の支点（７ａ）の位置は、テコの原理から得られるベクトルを考慮したものとする。
（ト）．図１の作用点側ピン（８）と力点側ピン（９）の位置は、テコ台（７）の回転範囲を考慮したものとする。
【符号の説明】
【０００９】１  投入口
２  黒ボール
３  白ボール
４  起動通路
５  落下通路
６  上昇通路
７  テコ台
７ａ  支点
７ｂ  力点側
７ｃ  作用点側
７ｄ  おもり
８  作用点側ピン
９  力点側ピン
【図１】
2014227997.tif 000003
(57)【要約】      （修正有）【課題】バイオマス燃料発電における複合発電システムを提供する。【解決手段】複合発電システムは、バイオマス燃料発電において、主とする蒸気タ−ビン発電機８以外に、感温磁性材料の磁気特性を応用した熱機関７による発電機８を設け、蒸気タ−ビン５の排気蒸気あるいはボイラの排熱１２を、この熱機関の加熱源とする。【選択図】図１
2014227992.tif 000002
【特許請求の範囲】
【請求項１】
バイオマス燃料発電において、主とする蒸気タ−ビン発電機以外に、感温磁性材料の磁気特性を応用した熱機関による発電機を設け、蒸気タ−ビンの排気蒸気あるいはボイラの排熱を、この熱機関の加熱源とすることを特徴とする複合発電システム。
【発明の詳細な説明】
【技術分野】
【０００１】  本発明は、バイオマス燃料発電における複合発電システムに関するものである。
【背景技術】
【０００２】  近年、再生可能エネルギ−利用技術の一環として、バイオマス燃料を利用したバイオマス燃料発電設備が世界中に広がっているが、大量に排出される比較的低温の排熱の利用技術は確立しておらず、排熱の有効な利用技術が求められている。
【先行技術文献】
【特許文献】
【０００３】
【特許文献１】特開平６−１４１５７１（磁性体熱機関）
【特許文献２】特開平６−１４１５７２（磁性体エンジン）
【非公開特許文献】
【０００４】
【非公開特許文献１】
特願２０１３−２１７６３（金属感温磁性材料の磁気特性を応用した熱機関）
【非公開特許文献２】
特願２０１３−２１７６４（金属感温磁性材料の磁気特性を応用した熱磁気発電機）
【非公開特許文献３】
特願２０１３−２８３２７（金属感温磁性材料の磁気特性を応用した熱機関）
【発明の概要】
【発明が解決しようとする課題】
【０００５】  本発明は、従来の課題を解決し、すでに発明されている比較的低温の排熱を熱源として発電できる感温磁性材料の磁気特性を応用した熱機関による発電機を併用して、バイオマス燃料発電における総合熱効率を高めた複合発電システムを提供する目的からなされたものである。
【課題を解決するための手段】
【０００６】  上記の課題を解決する本発明は、以下の通りである。
バイオマス燃料発電において、主とする蒸気タ−ビン発電機以外に、感温磁性材料の磁気特性を応用した熱機関による発電機を設け、蒸気タ−ビンの排気蒸気あるいはボイラの排熱を、この熱機関の加熱源とすることを特徴とする複合発電システムを提供できたものである。
【発明の効果】
【０００７】  本発明は、現在、林業由来のバイオマス燃料、工業由来のバイオマス燃料、畜産業由来のバイオマス燃料、農業由来のバイオマス燃料等を利用した数多くのバイオマス燃料発電設備から排出されている莫大な比較的低温の熱エネルギ−の有効利用技術であり、エネルギ−効率の向上と環境保全上極めて有効なものである。【０００８】  現在、感温フェライトやＦｅ−Ｎｉ，Ｆｅ−Ｎｉ−Ｃｒ等の金属感温磁性材料が生産され、電磁調理器の電磁誘導加熱材料や温度スイッチ材料として限定的に使用されているが、今後はこれらの素材の生産が飛躍的に拡大して産業の発展に寄与できる一方、更に特性の優れた磁性材料の開発や応用が促進されるものと期待できる。
【図面の簡単な説明】
【０００９】
【図１】本発明のバイオマス燃料発電における複合発電システムの実施例の系統図である。
【発明を実施するための形態】
【００１０】  以下、本発明の実施の形態を図面に基づき詳細に説明する。
【００１１】  本実施例は、バイオマス燃料の燃焼熱で高温蒸気９を発生させて、主とする蒸気タ−ビン発電機の蒸気タ−ビン５を駆動し、蒸気タ−ビン５の排気蒸気１０を感温磁性材料の磁気特性を応用した熱機関６の加熱源とし、もう一方でボイラ２のボイラ排気１２の排熱を熱交換器４で熱回収して加熱容器１１の液体を加熱し、液体に浸して使用できる形態の感温磁性材料の磁気特性を応用した熱機関７の加熱源とした実施例である。
【００１２】  蒸気タ−ビン５の排気蒸気１０は、一般的に復水器によって水に戻され再利用されているが、本発明では排気蒸気１０を加熱源として発電することが出来、更に感温磁性材料の磁気特性を応用した熱機関６は動作原理上冷却も必要とするので、復水器の機能も兼ねることができる有益なものである。
【００１３】  ボイラ２のボイラ排気１２はそのまま加熱源とすることもできるが、粉塵が多く、直接ボイラ排気１２を加熱源とする場合は粉塵を除去する必要がある。
【００１４】  本実施例はボイラ排気１２の排熱を熱交換器４で回収して加熱容器１１の液体を加熱し、液体に浸して使用できる形態の感温磁性材料の磁気特性を応用した熱機関７の加熱源とした実施例であり、粉塵が含まれるボイラ排気１２の排熱も有効に利用できる。
【００１５】  実施における液体は水以外にエチレングリコ−ルや各種の水溶液あるいはオイル等を使用できる。
【００１６】  本発明は今後更なる優れた感温磁性材料が開発されることと相生して、よりエネルギ−効率の高い複合発電システムを提供できるものである。
【００１７】  本発明はバイオマス燃料発電に限定されるものではなく、石油、石炭あるいは天然ガス等の化石燃料発電あるいは原子力発電にも適応できるものである。
【符号の説明】
【００１８】    １…焼却炉
２…ボイラ
３…蒸発タンク
４…熱交換器
５…蒸気タ−ビン
６…感温磁性材料の磁気特性を応用した熱機関
７…感温磁性材料の磁気特性を応用した熱機関
８…発電機
９…高温蒸気
１０…排気蒸気
１１…加熱容器
１２…ボイラ排気
１３…バイオマス燃料入口
【図１】
2014227992.tif 000003
(57)【要約】【課題】本発明は、エンジンの内部構造に、クランクシャフトとバブルを不要にして、エンジンの整備性向上、小型、軽量化を提供する。また、燃料は、ガソリンをはじめバイオなどにも広く対応できる汎用型エンジンとし、もって、資源の節約に寄与することを目的とする。【解決手段】燃焼室と膨張室に、同時に高圧ガスを噴射させ、点火、爆発させる。その際、発生した爆発圧と排気圧によって、回転ローターが回転するようにする。【選択図】図１
2014227993.tif 000002
【特許請求の範囲】
【請求項１】
エンジンの内部構造に、クランクシャフトとバブルを不要にしたエンジン。
【請求項２】
ガソリンをはじめバイオなどの燃料に広く対応できる汎用型エンジン。
【請求項３】
回転ローターをシャフトと平行して長くすれば、燃焼室４箇所と膨張室４箇所のスローダーエンジン４気筒型や、燃焼室８箇所と膨張室８箇所のスローダーエンジン８気筒型も可能なエンジン。
【請求項４】
エンジン回転に伴う震動が少ないため、エンジンブロックの材質をセラミックス材等にすることが可能なエンジン。
【請求項５】
バイク、小型自動車、小型船舶、農業用機械等のエンジンに使用することが可能なエンジン。
【発明の詳細な説明】
【技術分野】
【０００１】本発明は、資源の節約に寄与するために、シンプルな構造で低回転、高馬力を実現した、省エネルギー型のエンジンである。
【背景技術】
【０００２】従来は、エンジンの内部構造に、クランクシャフトとバブルが無いものは存在しなかった。また、燃料も、ガソリンをはじめバイオなどにも広く対応できる汎用型エンジンはなかった。
【発明の概要】
【発明が解決しようとする課題】
【０００３】エンジンの内部構造が複雑で整備が容易でない。また、ガソリンや軽油、バイオなどの燃料に広く対応できる汎用型エンジンはなかった。本発明は、エンジンの内部構造をシンプルにして整備を容易にし、かつ、省エネルギー型のエンジンになされたものである。
【課題を解決するための手段】
【０００４】エンジンの内部構造に、クランクシャフト、バブルを不要にした。
【発明の効果】
【０００５】本発明は、エンジンの内部構造に、クランクシャフトとバルブを不要にして、整備性の向上や小型、軽量化が図られる。また、燃料も、ガソリンをはじめバイオなどにも広く対応できる汎用型エンジンである。もって、本発明によって、資源の節約に寄与できる。
【図面の簡単な説明】
【０００６】
【図１】本発明の側面方向からの断面図である。
【図２】本発明の正面図である。
【発明を実施するための形態】
【０００７】以下、本発明の実施の形態について、図面を参照しつつ詳細に説明すれば、
図２は、側面方向からの断面図を示すが、回転ローターは上下左右対称の形状（１）で、直径を約２６ｃｍとする。回転ローターブロックは縦型、３分割型（２）とする。回転ローターの回転数は、毎分約３００回転とする。高圧ガス噴射にて、点火、爆発する。プラグはグロープラグ（３）。２箇所の燃焼室（４）は、同時爆発とし、トルクを２倍にする。回転ローターの熱膨張を均等にするために、３６０度と６３０度の交互爆発とする。ダイナモ発電により電力で、コンプレッサーを動かす。フライホィール（５）を付け、逆回転を防止する。回転ローターがロータリーバルブになっている。燃焼室と膨張室は同直径、半円錐形。１気筒約２５０ｃｃとする。回転ローター（１）が、クランクとフライホィールの役目もしている。なお、本発明のスローダーエンジンでは、圧縮工程ができないため、他の場所に高圧エアータンクと小型コンプレッサーを付けて対応することとする。
【０００８】さらに、本発明の他の実施例として、本発明にかかる回転ローターをシャフトと平行して長くすれば、燃焼室４箇所と膨張室４箇所のスローダーエンジン４気筒型や、燃焼室８箇所と膨張室８箇所のスローダーエンジン８気筒型も可能である。
エンジン回転に伴う震動が少ないため、エンジンブロックの材質をセラミックス材にすることも可能である。バイク、小型自動車、小型船舶、農業用機械等のエンジンに使用することも可能である。
【符号の説明】
【０００９】  １  回転ローター
２  ３分割
３  グロープラグ
４  燃焼室
５  フライホィール
【図１】
2014227993.tif 000003
【図２】
2014227993.tif 000004
(57)【要約】【課題】  灸は、つぼと呼ばれる人間の特定の部位に温熱刺激を加えることによって、生理状態を変化させ疾病の治療を目的とする漢方医療である。また、アロマセラピーと呼ばれる健康増強法も知られている。これは、植物由来の芳香成分の持つ薬理効果を利用し、心身の疾病の予防や治療を行うものである。灸とアロマセラピーは、それぞれ有効な方法であるが、まったく別のものであり、両方の効果を得たい場合には、それぞれ実施しなければならない。これでは非常に手間である。【解決手段】  乾燥もぐさ１００重量部に対して、乾燥ハーブが１００〜２００重量部混合されている灸用もぐさ、および乾燥もぐさとホール状のハーブを所定の比率でミキサーに投入し、撹拌混合する灸用もぐさの製造方法。【選択図】  なし【特許請求の範囲】
【請求項１】
乾燥もぐさ１００重量部に対して、乾燥ハーブが１００〜２００重量部混合されていることを特徴とする灸用もぐさ。
【請求項２】
該乾燥ハーブは、ジンジャールート、ローズマリー、レモンピールの３つうちの１つか任意の複数の組み合わせである請求項１記載の灸用もぐさ。
【請求項３】
乾燥もぐさとホール状の乾燥ハーブを所定の比率でミキサーに投入し、撹拌混合することを特徴とする灸用もぐさの製造方法。
【発明の詳細な説明】
【技術分野】
【０００１】
本発明は、灸用もぐさ及びその製造方法に関するものである。
【背景技術】
【０００２】
灸は、つぼと呼ばれる人間の特定の部位に温熱刺激を加えることによって、生理状態を変化させ疾病の治療を目的とする漢方医療である。この温熱刺激は、もぐさの乾燥したものを皮膚にのせ火を点ける方法が普通である。
【０００３】
また、アロマセラピーと呼ばれる健康増強法も知られている。これは、植物由来の芳香成分の持つ薬理効果を利用し、心身の疾病の予防や治療を行うものである。また、その香りによる精神的な効果もある。
【０００４】
以上の灸とアロマセラピーは、それぞれ有効な方法であるが、まったく別のものであり、両方の効果を得たい場合には、それぞれ実施しなければならない。これでは非常に手間である。
【先行技術文献】
【特許文献】
【０００５】
【特許文献１】特開平７−２５７４９
【０００６】
特許文献１の公報は、加香灸に関するものであり、灸に香料を加えたものが記載されている。しかし、これはポリビニルアルコールを主原料とする被膜材にてカプセル化した香料である。これでは非常に手間がかかるばかりか、均一に混合すること等は不可能である。
さらに、実際にはもぐさが燃焼する際に本来の香料の匂いが発生せず問題があった。
【発明の概要】
【発明が解決しようとする課題】
【０００７】
そこで、この灸の効果とアロマセラピーの効果が簡単に得られ、かつほぼ均一にハーブともぐさが混合されたものを提供する。
【課題を解決するための手段】
【０００８】
以上のような状況に鑑み、本発明者は鋭意研究の結果本発明灸用もぐさ及びその製造方法を完成したものであり、その特徴とするところは、灸用もぐさにあっては、乾燥もぐさ１００重量部に対して、乾燥ハーブが１００〜２００重量部混合されている点にあり、製造方法にあっては、乾燥もぐさとホール状の乾燥ハーブを所定の比率でミキサーに投入し、撹拌混合する点にある。
【０００９】
ここで、一般的なもぐさは、ヨモギの葉の裏にある繊毛を精製したものである。製法は、よく生育したヨモギの葉を採集し、臼で搗き、ふるいにかけて陰干しする工程を繰り返すものである。
【００１０】
ハーブは、芳香物質を多く含む植物であり，一般的にハーブと呼ばれているものであればよい。例えば、レモンピール、ジンジャー、ローズマリー、ローズペタル、ジュニパーベリー、フェンネル、ラベンダー、カモミール、マージョラム、ヒース、コリアンダー、リコリス、ペパーミント、カルダモン、シナモン、アニス等がある。
【００１１】
このようなハーブをもぐさに直接混合したものは今までまったく存在しなかった。それは、販売されているハーブのエキスや顆粒が、もぐさには混合が難しいためであると同時に、芳香のバランスをとることが難しいからであると考えられる。
【００１２】
本発明のもぐさとハーブの混合比率は、乾燥状態で、もぐさ１００重量部に対して、ハーブが１００〜２００重量部である。１００以下では香りが少なく、２００以上では灸の効果が小さいためである。
【００１３】
ハーブとしては、上記した種々のハーブのうちの１種のみを使用しても、適当に選択して２〜３種を混合してもよい。勿論、４種以上を用いてもよい。さらに、ハーブには、それぞれ固有の薬効があるため、それらを勘案して選択してもよく、相乗効果を有するものが好ましい。例えば次のような組み合わせであり、香りの種類により効果が異なるものとできる。
１  レモンピールとジンジャーとローズマリー
これは、すっきりとした香り（覚醒系の香り）の印象を与え、また血流促進効果も与えることからリフレッシュ効果が高い。
２  ローズペタルとジュニパーベリーとフェンネル
これは女性ホルモンの分泌を促し、心をおだやかにする効果がある。
３  ラベンダーとカモミールとマージョラム
これは高い鎮静作用よりリラックス効果がある。
【００１４】
次に製造方法の発明について説明する。
もぐさとハーブを混合するのであるが、もぐさは通常の市販されている乾燥もぐさを用い、ハーブとしては乾燥させた乾燥ハーブ（ドライハーブ）を使用する。
【００１５】
乾燥もぐさと乾燥ハーブを所定の比率でミキサーに投入し、撹拌混合するだけでよい。これを乾燥させればできあがりである。ハーブは、先に顆粒状とするのではなく、ホール状のハーブをもぐさと一緒にミキサーにて撹拌混合する必要がある。これは、顆粒状となったハーブはもぐさに混合しにくいからである。
【発明の効果】
【００１６】
本発明には次のような効果がある。
（１）  灸の効果とアロマセラピーの効果とが一度に得られる。
（２）  通常の灸と同様の方法で行える。
（３）  ハーブを変えることによって種々の効果が得られる。
【発明を実施するための最良の形態】
【００１７】
本発明を実施例にしたがってより詳細に説明する。
【実施例１】
【００１８】
本発明を実施例にしたがってより詳細に説明する。
乾燥重量で、もぐさ４ｇ、ジンジャールート２ｇ、ローズマリー１ｇ、レモンピール３ｇをミキサーに入れて攪拌した。撹拌方法・時間は、ミキサーによる撹拌を１０秒程度行って、撹拌を一度止めスプーンでミキサーの中を大きく混ぜ、またミキサーによる撹拌を１０秒程度行うということを繰り返す。そして、この繰り返しを６回行った。そして撹拌の終わったもぐさとハーブの混合物を十分に乾燥させた。これで出来上がりである。
これを被験者のつぼに０．１ｇずつ５箇所のつぼに載置し、火を点けた。非常によい香りがして、かつ灸の効果があった。芳香成分を吸引および皮膚からの浸透によって、血管を拡張し血流を促進させることが期待できる。即ち、単にアロマセラピー効果だけでなく、灸の保温効果をさらに高めることも期待できるのである。
(57)【要約】      （修正有）【課題】長年キッチンカーや屋台に羽虫が入り困っていた。それを解決するため虫除け窓を設けたキッチンカー及び屋台を提供する。【解決手段】蚊や羽蟻等羽虫は風力に弱く、キッチンカーや屋台等に食品、代金等受け渡しの窓を設け、その窓に扇風機で送風することにより、キッチンカーまたは屋台に蚊やは羽蟻等の羽虫が入ることを防ぐ。【選択図】なし【特許請求の範囲】
【請求項１】
食品の受け渡しの窓を設け、その窓に扇風機で風をあてるキッチンカーや屋台の虫除け方法。
【発明の詳細な説明】
【技術分野】
【０００１】  この発明は、風力によりキッチンカー及び屋台等の室内に虫が入るのを防ぐ方法に関するものである。
【背景技術】
【０００２】  従来、網戸や除虫菊等により行われていた。
【先行技術文献】
【特許文献】
【０００３】
【発明の概要】
【発明が解決しようとする課題】
【０００４】  これ等は、次のような欠点があった。網戸は食品の受け渡しの時、開閉するので、どうしても蚊又は羽蟻が入って来てしまう。蚊取線香のように焚くものは臭いが移るので困ることが多かった。本発明は、以上のような欠点をなくすためになされたものである。
【課題を解決するための手段】
【０００５】キッチンカー及び屋台等に食品、代金等受け渡しできる窓を設け、その窓に扇風機で送風する。このことにより、羽虫が入るのを防ぐ。本発明は、以上の虫除け方法である。
【発明の効果】
【０００６】  風力で蚊や羽蟻の入るのを防ぐため風の強弱のできる扇風機で簡単にできてきわめて効果のあるものである。
【発明をするための形態】
【０００７】  以下、本発明を実施するための形態について説明する。円窓、角窓等、食品や代金を受け渡しできるように開け、その窓に扇風機で風を送るので、キッチンカーや屋台等により窓の大きさが自由に設計でき、これを実施するときの風は上下左右斜め方向からも扇風機の位置でどうにでもできる。窓から出る食品の匂いは食欲をそそる。
(57)【要約】【課題】建物の周囲にボーリングで穴を掘り、ボーリングの穴に冷媒管を挿入して地盤を器状に凍結させて地下水の湧水を封止して、また、内部の汚染水の漏洩拡散を防止することを提供。【解決手段】建物１の周囲に連続してボーリング３で穴を掘り、その内部に水６を張りその穴に冷媒管７を挿入して、穴及びその周辺の地質を連続して凍結し建物１を凍結した器の中にいれた状態に保持することで、地下水の器内部への湧水を阻止する。また建物側の汚染水の漏洩、拡散を阻止すること。【選択図】図１
2014227660.tif 000002
【特許請求の範囲】
【請求項１】
建物の周囲にボーリングを行い、ボーリング孔に冷媒管を挿入してボーリング孔、ボーリング孔周辺の地質の凍結を行い、岩盤があるときは岩盤を器の底板として利用して、凍結した地質の器状窪みを造成した中に建物が入る地質凍結による地下水湧水、漏洩防止工法
【請求項２】
建物の構造物の開口した部分に建物周辺からボーリングを行い、開口部をボーリング孔に冷媒管を挿入してボーリング孔、ボーリング孔周辺の地質の凍結を行い、プラグ状に凍結した地質凍結地下水湧水、漏洩防止工法
【発明の詳細な説明】
【技術分野】
【０００１】
この発明は、放射性のある物質、有害物質等の拡散を防止するために地表下に地質凍結器状窪み創出の器状物質による内部の封止工法である。
【背景技術】
【０００２】
原子炉の事故で圧力容器がメルトダウンして、容器から冷却水が地下水に流出し、または容器の冷却水に地下水が湧出して混ざりあって増加している。炉心冷却水の必要水位を保つため、さらなる注入水が必要になっている。それによって、汚染された廃水は、さらに増え続けている。廃水をフィルターで汚染物質を吸着させて高濃度汚染水と低濃度汚染水に分けて、低濃度汚染水を再循環して冷却を行っている。高濃度汚染水は、貯蔵するタンクに一時保管している。増加する汚染水のため、貯蔵タンクも増加の一方である。汚染物質の保管タンクの保管期間も定かでない。保管場所の確保にも制約があり、保管できない状態にある。そこで、本発明の地質凍結器状窪み創出の器状物質による内部の封止工法で地下水の湧出、漏洩を防止して、処理水の増加を防止することで現状の回復を図ることを目的とする。
【先行技術文献】
【特許文献】
【０００３】
【特許文献１】特開２００８ー９０６９２４６、特開2006−052604、特開H09−287147、特開2002−180450、特開2002−36398、7特開07−216865、特開06−128942
【非特許文献】
【０００４】
【非特許文献１】無し
【発明の概要】
【発明が解決しようとする課題】
【０００５】
次のような欠点があった。
（１）貯蔵タンクの設置場所が限られている。
（２）長期保存で耐用年数にも問題がある。
（３）放射性汚染水が増加する一方である。
（４）地下水が湧出し止められない。
本発明は、以上の欠点を解決するものである
【課題を解決するための手段】
【０００６】
建物の周囲にボーリングを行い建物基礎周囲を地質凍結器状窪みを創出した器状内の物質を孤立させて、地下水の湧出、地下水の漏洩を防止する。本発明は、以上の構成よりなる地質凍結器状窪み創出の器状物質による内部の封止工法である。
【発明の効果】
【０００７】
（１）貯蔵タンクの増設が減少できる。
（２）放射性汚染水を濃縮処理する時間が確保できることで貯蔵量を減少させることが可能になる。
（３）タンクの耐用年数の問題は敷地内でスクラップアンドビルドが可能となる。
（４）処理済みの高濃度放射性汚染水の増加を抑制できる。
【図面の簡単な説明】
【０００８】
【図１】本発明の斜図である
【図２】本発明の断面図である
【図３】本発明の平面配置図とその断面図である
【図４】本発明のボーリング孔に挿入する冷媒管の構成図である
【発明を実施するための形態】
【０００９】
以下、本発明を実施するための形態について説明する。
建物１の周囲にボーリング孔を掘り、ボーリング孔に冷媒管７を挿入して、液体窒素、ブライン等の冷媒を循環してボーリング孔の内部、これに接触する地質を凍結させ連続して地表下に地質凍結器状窪み創出の器状物質による内部の封止工法である。
器状にすることで、器内部からの漏洩と外部からの地下水の湧出を防止することができる。
【実施例】
【００１０】
器状地盤凍結によるもの実施例無し
【産業上の利用可能性】
【００１１】
原子炉の事故で圧力容器がメルトダウンして、容器から冷却水が地下水に流出し混ざりあって増加している。炉心冷却水の必要水位を保つため、さらなる注入水が必要になっている。それによって、汚染された廃水は、さらに増え続けている。廃水をフィルターで汚染物質を吸着させて高濃度汚染水と低濃度汚染水に分けて、低濃度汚染水を再循環して冷却を行っている。
地下水の漏洩湧出を防止することで、汚染水の増加を無くして、汚染水を濃縮し減少させることが可能となる。
【符号の説明】
【００１２】
１  建物
２  地表
３  ボーリング穴
４  基礎杭
５  凍結土
６  水
７  冷媒管
【図１】
2014227660.tif 000003
【図２】
2014227660.tif 000004
【図３】
2014227660.tif 000005
【図４】
2014227660.tif 000006
(57)【要約】【課題】従来、虫歯、歯周病、口臭予防においては、フッ素系や殺菌剤等含有された予防剤が用いられてきた。フッ素系は、斑状菌などのフッ素症などを起こす恐れがあり、フッ素の虫歯予防効果も疑問視される面もある。虫歯、歯周病、口臭の原因となる非水溶性グルカン生成の阻止、そして歯垢生成の阻止を出来る予防剤が期待されていた。【解決手段】サイクロデキストランとナノ化された大豆不飽和脂肪酸を添加することで、歯垢の生成を阻止でき虫歯菌、歯周病菌の増殖を抑え虫歯、歯周病、口臭予防が期待できた。【特許請求の範囲】
【請求項１】
サイクロデキストランとナノ化された大豆不飽和脂肪酸を含有する虫歯、歯周病、口臭予防剤。
【請求項２】
キャンディ，チョコレート，ガム，パン、ケーキ，飲料等及び歯磨き剤、含嗽剤に添加可能な請求項１の虫歯、歯周病、口臭予防剤。
【請求項３】
月桂樹等の植物抽出成分を添加させた請求項１の虫歯、歯周病、口臭予防剤。
【請求項４】
サイクロデキストラン，ナノ化された大豆不飽和脂肪酸，月桂樹等の植物抽出物の含有量が０．０１％以上である請求項１或いは３の虫歯、歯周病、口臭予防剤。
【請求項５】
サイクロデキストランにナノ化された大豆不飽和脂肪酸または月桂樹等の植物抽出物を添加された歯垢阻止剤で虫歯菌、歯周病菌の増殖阻止を求める請求項１の虫歯、歯周病、口臭予防剤。
【発明の詳細な説明】
【発明の詳細な説明】
【技術分野】
【０００１】本発明は、複合的な効果を持たせた虫歯、歯周病、口臭予防剤に関するものである。
【背景技術】
【０００２】従来、虫歯、歯周病、口臭予防においては、フッ素系や殺菌剤などを含有した予防剤が用いられてきた。これは、フッ素の過剰摂取による斑状歯やフッ素硬化症などの副作用も心配され、歯のエナメル質を傷つける事もある。また、フッ素系の効果については疑問視される面もある。また虫歯、歯周秒、口臭の原因となる非水溶性グルカンの生成を阻止し歯垢の生成を阻止するものはないため、歯垢の生成を阻止する新たな虫歯、歯周病、口臭予防剤が期待されていた。【０００３】
【特許文献】特開平８−５９４８４号  特開平９−１０７９１８号  特願平１０−１９４３６号
【発明が解決しようとする課題】
【０００４】サイクロデキストランには歯の歯垢抑制効果があるが、これは口腔内に留まる時に効果があるに過ぎず一時的な効果である。また、月桂樹等の植物抽出成分においても同様で、殺菌効果により口内の清浄が期待できるが、これも一時的なものである。これらを解決する事を本発明の課題とした。
【課題を解決する為の手段】
【０００５】上記目的を達成する為、ナノ化された大豆不飽和脂肪酸を添加した。これは大豆に含まれるリノール酸，オレイン酸を分子レベルでキレートすることにより電荷を得て歯の表面に付着する。サイクロデキストランには包接作用があり、他の物質を取り込む作用がある。また、月桂樹の抽出成分は殺菌効果が強く口腔を清浄することができる。これらの複合的な働きにより、虫歯、歯周病、口臭予防に効果が期待できる。
【発明の効果】
【０００６】上記のように、これらの複合効果により虫歯、歯周病、口臭予防剤をつくり、キャンディ，チョコレート，ガム，ケーキ，パン飲料等や歯磨き粉に添加した。
【０００７】サイクロデキストランの働きで、ストレプトコッカス・ミュータンス，スプレプトコッカス・ソブリナス等の虫歯菌による非水溶性グルカン合成を阻害し歯垢の生成を阻害させ、月桂樹の植物抽出物での殺菌効果を有し最終的にナノ化された大豆不飽和脂肪酸によって歯や口腔粘膜の表面をコーティングする事により、非水溶性グルカンの生成を阻止し歯垢の生成を抑制し、虫歯菌の増殖や歯周病菌の増殖をも阻害した。この歯垢抑制効果及び菌の増殖を防ぐことにより口臭の発生を抑える効果もできた。これらの含有量は、０．０１％以上が推奨されるが、より１％〜５％が推奨される。
(57)【要約】【課題】従来の下半身用雨具としては、ズボンしかなくスカートの上から使用出来る雨具がなかったので、特に自転車に乗った場合は両足がずぶぬれになってしまうという問題があった。【解決手段】四角形のカバー本体１の上端側に帯状袋部２が設けてある。帯状袋部２には弾性材からなる狭時バンドが挿装してあり、ワンタッチで腰部に着装することが出来る。また中央部にプリーツ３を設け歩行や自転車の走行を安全に出来るようにした。更に、風にあおられないように両端側下部に重りを設けてある。【選択図】図２
2014034756.tif 000002
【特許請求の範囲】
【請求項１】
四角形のカバー本体と、該カバー本体の上端側に横方向に設けた帯状袋部と、該帯状袋部に挿装した弾性材からなる狭持バンドと、前記カバー本体の略中央に設けた複数のプリーツとから構成してなる下半身用レインカバー。
【請求項２】
前記バンドは、前記帯状袋部に挿脱可能であることを特徴とする請求項１記載の下半身用レインカバー。
【請求項３】
前記カバー本体の幅方向両側下端に重りを設けてあることを特徴とする請求項１記載の下半身用レインカバー。
【発明の詳細な説明】
【技術分野】
【０００１】  本発明は、雨降り時下半身の濡れを防止する時に用いて好適な下半身用レインカバーに関する。
【背景技術】
【０００２】  従来は雨降り時の雨具としては、ジャンパー、ズボン又はレインコートやポンチョ等を使用していた。又、下半身用の雨具としてはズボンしかなく、スカートの着用者に適した雨具はなかった。
【先行技術文献】
【特許文献】
【０００３】
【特許文献１】  特開２００６−１７６９４２号公報
【発明の概要】
【発明が解決しようとする課題】
【０００４】  傘を使用する際、頭部や上半身は濡れるのを防止できるが下半身が濡れるのを防止する用具はなかったため、特に自転車に乗った場合は両足がずぶぬれになってしまうという問題がある。そこで巻きスカート形式で最上部にマジックテープを設けたレインスカートが提案されている（特許文献１）。【０００５】  しかし、従来技術のレインスカートはプリーツが全面に設けられているため重く動きづらい。しかも腰から膝上までの間を巻きつけるので更に動きづらい。この為、自転車に乗った状態で使用する事は不可能であるし、走行中や乗り降りの際にはとても危険である。又マジックテープで固定する方法であるため、体の後ろに両手を回して着装しなければならないという不便さがある。【０００６】  本発明は上述した従来技術の欠点に鑑みなされたものでワンタッチで着装できるので取り扱いが簡単であるし腰全体に巻きつけないので動き易く、しかも部分的にプリーツを入れてあるのでより動き易さが保たれており、しかも下半身が濡れるのを確実に防止することが出来る下半身用レインカバーを提供することを目的とする。
【課題を解決するための手段】
【０００７】  上述した課題を解決するために構成した本発明は、四角形のカバー本体と、該カバー本体の上端側に横方向に設けた帯状袋部と、該帯状袋部に挿装した弾性材からなる狭持バンドと、前記カバー本体の略中央に設けた複数のプリーツとから構成されている。【０００８】  前記バンドは、前記帯状袋部に挿脱可能にしてある。【０００９】  前記カバー本体の幅方向両側下端に重りを設けると良い。
【発明の効果】
【００１０】  本発明は上述のごとく構成したから、下記の効果を奏する。
（１）着装時バンドを左右に広げ、前部から腰にあてて手を離すと瞬時に腰部に着装出来る。
（２）カバー本体の略中央にプリーツを設け、横方向に伸縮可能にしてあるので、歩行時や自転車のペダルを漕ぐ時動きが楽である。
（３）バンドは帯状袋部に入っているので、使用時の当たりが柔らかく、使用者のウエスト回りに応じた弾性力のバンドが選択できる。又弾性力が弱くなった時は、交換することも可能である。
（４）プリーツは中央部に入れてあるため、着装時もフイット感があり、フアッション性も考慮されている。そしてカバー本体も使用量が軽減されるため、経済的である。
（５）カバー本体の横幅方向両端側下部に、重りを設けたので、風やペダルを漕いだ時、カバー本体があおられるのを防止することが出来るから安全に走行が出来る。
【図面の簡単な説明】
【００１１】
【図１】本発明の実施の形態にかかる下半身用レインカバーの正面図である。
【図２】背面図である。
【図３】帯状袋部に挿装する弾性材バンドの図面である。
【図４】下半身用レインカバーを着装して自転車に乗る状態を示す説明図である。
【発明を実施するための形態】
【００１２】  以下、本発明の実施の形態を図面に基づき詳述する。図において、１はカバー本体を示す。該カバー本体１は撥水性のある織布或いは防水加工を施した織布を横長四角形に裁断したものからなり、横幅は着用者の両腰を包む程度で、縦幅はウエストから膝下に達する長さを目安としている。
【００１３】  ２は前記カバー本体１の上端側を折り返して縫着することにより形成した横長の帯状袋部で、該帯状袋部２は少なくとも一端が開口してバンド挿入口２Ａになっている。３はカバー本体１の横方向略中央で、縦方向略中間から下端にかけて四角形に形成した複数のプリーツで、該プリーツ３は着用時に膝が動き易いようにするためのものである。
【００１４】  ４は前記帯状袋部２に挿脱可能に挿装した合成樹脂製の狭持バンドで、該狭時バンド４は着用者の体に巻きつく弾性と、装着時に両手で両側を拡開可能な柔軟性を有している。５は前記カバー本体１の幅方向両側が着用時に風などであおられないようにするための重りで、該重り５は例えば重量のある金属片からなり、カバー本体１の下端に設けたポケット１Ａに収納してある。
【００１５】  本実施の形態は上述の構成からなるが、次にその作用を説明する。
装着時はバンドの両側を開き腰にあてて手を離すとバンドの弾性力により着用者の腰にワンタッチで簡単に取り付ける事が出来る。又、プリーツは全体に設けず中央に設けてありカバー本体も腰全体を巻きつけていないので、歩行や自転車を漕ぐ時など動きが容易である。
【００１６】  カバー本体の幅方向両側下端に重りを設けたので、風や自転車のペダルを漕いだ時、カバー本体が煽られないので雨に濡れることもなく、安全に走行することが出来る。
【符号の説明】
【００１７】１    カバー本体
２    帯状袋部
３    プリーツ
４    バンド
５    重り
【図１】
2014034756.tif 000003
【図２】
2014034756.tif 000004
【図３】
2014034756.tif 000005
【図４】
2014034756.tif 000006
(57)【要約】【課題】  吸引室への必要最少限の吸込量を維持して、蒸気エゼクタ全体としての蒸気の使用量を減少すること。【解決手段】  駆動蒸気供給管４に差圧調節弁５を介在して蒸気エゼクタ１の吸込室２と接続する。蒸気エゼクタ１を吸込室２とディフューザ３で構成する。ディフューザ３の出口側に吐出菅６を接続して、圧力センサ７を取り付ける。吸込室２の吸込菅８にも圧力センサ９を取り付ける。それぞれの圧力センサ７，９を差圧調節弁５と連通する。  圧力センサ７，９の圧力差が所定値に維持されることによって、吸引室２への必要最少限の吸込量を維持して、蒸気エゼクタ１全体としての蒸気の使用量を減少させることができる。【選択図】  図１
2014034900.tif 000002
【特許請求の範囲】
【請求項１】
流体を絞る細孔からなるノズル部と、当該ノズル部の周囲に形成した吸込室と、当該吸込室及び上記ノズル部と連通したディフューザとからなるものにおいて、ノズル部と連通する駆動蒸気供給管に差圧調節弁を配置して、吸込室への吸込み口側と、ディフューザの出口側との圧力を検出するそれぞれの圧力センサを取り付けて、これらの圧力センサの圧力差が所定値に維持されるように制御する制御部を設けたことを特徴とする蒸気エゼクタ。
【発明の詳細な説明】
【技術分野】
【０００１】
本発明は、駆動蒸気をノズルから高速で噴出させて、その流体の速度エネルギにより吸込室に吸引力を発生する蒸気エゼクタに関する。
【背景技術】
【０００２】
蒸気エゼクタは、ノズルを内蔵した吸引室の入口側に圧力調節弁を接続し、ディフューザの出口側に圧力センサを取り付けて、この圧力センサの検出値に応じて圧力調節弁の弁開度を駆動制御することによって、吸引室で発生する吸引力を制御することができるものである。
【０００３】
この蒸気エゼクタにおいては、吸引室への蒸気の吸引量が多くなると、駆動蒸気の量も極端に多くなってしまい、全体として蒸気の使用量が増大して蒸気の省エネができにくくなってしまう問題があった。
【先行技術文献】
【特許文献】
【０００４】
【特許文献１】特開２００３−２６９４００号公報
【発明の概要】
【発明が解決しようとする課題】
【０００５】
解決しようとする課題は、蒸気エゼクタの駆動蒸気の量を、吸引室への入口側圧力とディフューザの出口側の圧力との圧力差が所定値に維持されるように制御することによって、吸引室への必要最少限の吸込量を維持して、蒸気エゼクタ全体としての蒸気の使用量を減少させて蒸気の省エネを確保することのできる蒸気エゼクタを提供することである。
【課題を解決するための手段】
【０００６】
本発明は、流体を絞る細孔からなるノズル部と、当該ノズル部の周囲に形成した吸込室と、当該吸込室及び上記ノズル部と連通したディフューザとからなるものにおいて、ノズル部と連通する駆動蒸気供給管に差圧調節弁を配置して、吸込室への吸込み口側と、ディフューザの出口側との圧力を検出するそれぞれの圧力センサを取り付けて、これらの圧力センサの圧力差が所定値に維持されるように制御する制御部を設けたものである。
【発明の効果】
【０００７】
本発明の蒸気エゼクタは、駆動蒸気供給管に差圧調節弁を配置して、吸引室への吸込み口側と、ディフューザの出口側との圧力を検出するそれぞれの圧力センサを取り付けて、これらの圧力センサの圧力差が所定値に維持されるようにしたことによって、吸引室への必要最少限の吸込量を維持して、蒸気エゼクタ全体としての蒸気の使用量を減少させて蒸気の省エネを確保することができる。
【図面の簡単な説明】
【０００８】
【図１】本発明の蒸気エゼクタの実施例を示す構成図。
【発明を実施するための最良の形態】
【０００９】
本発明は、駆動蒸気供給管に差圧調節弁を配置するものであり、この差圧調節弁としては、それぞれの圧力センサからの信号を電気的に処理して弁部を駆動するもの、あるいは、圧力センサからの検出値を、ダイヤフラムやベローズ等の圧力検出部材に直接に印加して弁部を駆動するものなどを用いることできる。
【実施例１】
【００１０】
図１において、蒸気エゼクタ１を吸込室２とディフューザ３で形成し、吸込室２の内部に図示しないノズル部を配置する。吸込室２の一次側に駆動蒸気供給管４を接続して、この駆動蒸気供給管４に差圧調節弁５を取り付ける。
【００１１】
ディフューザ３の出口側の吐出菅６に圧力センサ７を取り付ける。また、吸込室２の吸込み口側の吸込菅８にも圧力センサ９を取り付ける。それぞれの圧力センサ７，９は、差圧調節弁５と連通する。
【００１２】
吐出菅６の先には蒸気使用装置１０を接続し、蒸気使用装置１０の出口側には蒸気トラップ１１とバイパス弁１２を並列に接続して、吸込菅８の下端部と接続する。蒸気トラップ１１は、蒸気と復水の混合流体の内から復水だけを出口側へ排出し、蒸気は排出しない機能を持った自動弁の一種である。吸込菅８の下端部には、蒸気トラップ１１又はバイパス弁１２から排出される復水と蒸気の混合流体を系外へ排出する余剰流体排出管１３を接続する。
【００１３】
駆動蒸気供給管４から蒸気エゼクタ１に供給される高圧蒸気によって、吸込室２で吸引力を発生して、蒸気トラップ１１から排出される復水を、あるいは、バイパス弁１２から排出される蒸気を、吸引して、駆動蒸気と混合されて吐出菅６から蒸気使用装置１０へと供給される。
【００１４】
吐出菅６に取り付けた圧力センサ７と吸込菅８に取り付けた圧力センサ９の検出値がそれぞれ差圧調節弁５へと送られて、これらの圧力センサ７，９の圧力差が所定値に維持されることによって、吸引室２への必要最少限の吸込量を維持して、蒸気エゼクタ１全体としての蒸気の使用量を減少させて蒸気の省エネを確保することができる。
【産業上の利用可能性】
【００１５】
本発明は、駆動蒸気をノズルから高速で噴出させて、その流体の速度エネルギにより吸込室に吸引力を発生する蒸気エゼクタとして利用することができる。
【符号の説明】
【００１６】
１  蒸気エゼクタ
２  ノズル部
３  ディフューザ
４  駆動蒸気供給管
５  差圧調節弁
６  吐出菅
７  圧力センサ
８  吸込菅
９  圧力センサ
１０  蒸気使用装置
１１  蒸気トラップ
１２  バイパス弁
【図１】
2014034900.tif 000003
(57)【要約】      （修正有）【課題】市販の複数枚刃のＴ字型のかみそりブレードを市販の規格のＩ字型二枚刃ホルダー使用可能とする。【解決手段】片面に市販の規格である替え刃式二枚刃のブレード部分の受け口と同じ形状を持つ台座と、もう片面に市販の複数枚刃のかみそりブレード部を装着できる構造をもつプレートを背面どうし結合させる形のかみそりアダプターとした。【選択図】図１
2014168635.tif 000002
【特許請求の範囲】
【請求項１】
片面に市販されている二枚刃用フォルダーに係合できる二枚刃かみそりブレード部の受け口と同じ形状の台座と、もう片面に市販の複数枚刃のかみそりブレード部を保持爪と引っ張りバネにより装着できるプレートを背面同士に固定したかみそりアダプター。
【発明の詳細な説明】
【技術分野】
【０００１】本発明は市販のＴ字型複数枚刃かみそりのかみそりブレード部を、理容店で使用可能なＩ字型二枚刃かみそりフォルダーに装着を可能とすることができるようにするアダプターである。
【背景技術】
【０００２】従来の市販されている複数枚刃の替え刃式かみそりは、ほとんど全てＴ字型のフォルダーであり、理容店での使用がほとんど不可能であった。
【発明の概要】
【発明が解決しようとする課題】
【０００３】複数枚刃を持つＴ字型替刃かみそりのかみそりブレード部を利用し、市販のＩ字型の二枚刃かみそりフォルダーに装着可能とするかみそりアダプターの発明である。
【課題を解決するための手段】
【０００４】片面を市販の複数枚刃の替刃式かみそりのかみそりブレード部を装着できるプレートと、もう半面に市販されている規格の二枚刃フォルダーに噛み合わせ装着させることが可能な台座を作り背面同士を結合させるかみそりアダプターを発明した。
【発明の効果】
【０００５】従来、使用不可能あった市販の複数枚刃のＴ字型のかみそりブレードを市販の規格のＩ字型二枚刃ホルダーに本発明のアダプターを使用することにより、使用が可能になった。
【図面の簡単な説明】
【０００６】
【図１】本発明の斜視図１
【図２】本発明の斜視図２
【図３】本発明の組み立て図
【図４】本発明のプレート部の正面図
【図５】本発明のプレート部の平面図
【図６】本発明のプレート部右側面図
【図７】本発明の装着図
【図８】樹脂で一体成型し、両脚部外側にかえしを設け、互い違いに長辺と短辺を交互に３箇所づつに設けた保持爪の図
【発明を実施するための形態】
【０００７】  以下、本発明の実施の形態を説明する。
台座（１）の形状は、市販されている二枚刃用フォルダーに係合できる二枚刃かみそりブレード部の受け口と同じ形状である。この部分の形態は、長方形の板状ベース板（２）に長辺の二線に立設した板（３）、及び、両上端から内側に向かった保持爪（４）を持つ形で構成される。また、プレート穴と両端からの中心が合う位置に台座穴を設ける。
【０００８】プレート（５）は、薄い金属板を図４のように切断、加工し、左右両端をからプレートとわずかな隙間を持たせて１８０度折り返し、折り返し部（６）を設ける。プレート中心線より左右等距離にプレート穴（９）を設ける。プレート後部を立設させ脚部（７）を形成し、先端部を円筒形にし、脚部円筒部（８）を設ける。図５、図６を参照。
【０００９】引っ張りバネ（１０）は、脚部円筒部（８）の両端内側と等距離のコイルを持ち、両端をコイルと同一直線上に伸ばし、かつ、長さが装着時、脚部円筒部（８）の両端外側より、やや突出する長さを持つバネとする。
【００１０】図３のように、台座（１）とプレート（５）を固定し、引っ張りバネ（１０）を脚部円筒部（８）両端に通す。
【００１１】図７のように、プレート（５）と折り返し部（６）の隙間に、市販複数枚刃のかみそりブレードのハウジング部（１３）と、後縁部（１４）の隙間に引っ掛け、市販複数枚刃かみそりブレードの背面の二つの開口部（１５）に本アダプターの引っ張りバネ（１０）を引きながらブレードと本アダプターを密着させ、引っ張っていた引っ張りバネ（１０）を戻すと固定することができる。
【００１２】市販複数枚刃のかみそりブレードと本アダプターが結合したものを、市販の二枚刃かみそりの規格を持つＩ字型二枚刃用ホルダーに装着し、使用する。
台座（１）とプレート（５）を固定する方法はネジ、リベット、ハトメ等で固定することが可能であるものとする。
【００１３】台座（１）に折り返し部（６）、脚部（７）、脚部円筒部（８）を樹脂等で一体成型することも可能であるものとする。
図８に示すとおり、樹脂等で一体成型する場合、引っ張りバネ（１０）脚部円筒部（８）を設けず、脚部（７）を脚部円筒部（８）と同等な長さにし、脚部（７）の左右外側に、やや突出した直角三角形のかえし部（１６）を作り固定することも可能であるものとする。
【００１４】保持爪は、二枚刃フォルダーに挿入する際、接触抵抗を低減するため、互い違いに長辺と短辺を交互に３箇所づつに設けることも可能であるものとする。
【符号の説明】
【００１５】１  台座、２  ベース板、３  立設した板、４  保持爪、５  プレート、６  折り返し部、７  脚部、８  脚部円筒部、９  プレート穴、１０  引っ張りバネ、１１  台座穴、１２  市販複数枚刃のかみそりブレード、１３  ハウジング部、１４  後縁部、１５  背面の開口部、１６  一体成型時の脚部のかえし  １７  長辺と短辺を互い違いに交互に３箇所づつに設ける保持爪
【図１】
2014168635.tif 000003
【図２】
2014168635.tif 000004
【図３】
2014168635.tif 000005
【図４】
2014168635.tif 000006
【図５】
2014168635.tif 000007
【図６】
2014168635.tif 000008
【図７】
2014168635.tif 000009
【図８】
2014168635.tif 000010
(57)【要約】【課題】従来のオムツ交換は、被介助者のオムツをはずしたあと、介護人はおしぼりでふくだけで済ましていたが、除菌が不十分であった。【解決手段】被介助者の頭部を外箱後端に向け、寝台に仰向けに寝かせ両足を広げて外箱の外側に出させる、オムツをはずして介護人は洗剤で肛門や陰部を洗い、そこに温水をかけて洗い流すことができる、流した温水は、すべてビニール袋内に溜められる【選択図】図１
2014168634.tif 000002
【特許請求の範囲】
【請求項１】
外箱の上面に、開口を設け、谷折りにされた寝台が張られた洗浄台は、開口の下にあるビニール袋の開放端を開口より上方に引き出しさらに折り返して寝台や外箱を覆いガムテープを貼り付けて固定されて洗浄台はできている。
【発明の詳細な説明】
【技術分野】
【０００１】本発明は、高齢や病気などで、寝たきりになった被介助者１５を居室おいて介護人１４がオムツ２１を交換するときに、オムツ２０をはずしたあと、肛門や陰部の汚れを温水洗浄することを可能にした洗浄台１に関する、
【背景技術】
【０００２】従来は、オムツ２０をはずした後は、おしぼり１９で拭いていた。【０００３】以下、図７により従来のオムツ交換について説明すると、オムツ２０をはずして肛門や陰部をおしぼり１９で拭くだけで済ましていた。【０００４】
【発明の概要】
【発明が解決しようとする課題】
【０００５】以上述べた、従来のおしぼり１９で拭き取るというやりかたは、水洗トイレにおける、洗浄便座が普及する前の時代のもので、温水洗浄することで清潔度は画期的に進歩した。【０００６】本発明は、このような従来の構成が有していた問題を解決しようとするもので、被介助者１５の使用済み
オムツ２０をはずした後の肛門や陰部を、温水洗浄するための洗浄台１を提供することを目的としている。
【課題を解決するための手段】
【０００７】そして本発明は、上記目的を達成するために、上方が開放した長方形の外箱７は、
約長さが１１０ｃｍ×幅４０ｃｍ×高さが３０ｃｍである、【０００８】この外箱７の開放面には、開口５を外箱前端８に向けて寝台２が張られている、開口５の直径は、２００ｃｍである、【０００９】寝台２は、開口５付近で谷折に折られその両端より１０ｃｍほど低くなっている、それは、流した温水が開口５方向に流れるようにするためである、【００１０】また、第２の課題解決手段は洗浄台１の外箱７は厚さ２ｃｍほどの木材や発泡ポリプロピレンなどでなり
被介助者１５に痛痒を与えない配慮がなされている。
【発明の効果】
【００１１】上述したように本発明の洗浄台１においては、寝台２の下に入れたビニール袋１１の開放端１２を開口５より上方に引き出しさらに折り返して寝台２上にかぶせてその端をガムテープ１３で基体に貼り付けて固定し、温水洗浄した温水がすべてビニール袋１１内に流れ込むようにした。
効果を発揮する。
【図面の簡単な説明】
【００１２】
【図１】洗浄台の斜視図
【図２】外箱の斜視図
【図３】開口を設け、たに折りにされた寝台の斜視図
【図４】寝台の下に入れたビニール袋の先端を開口より引き出した状態を示した断面図
【図５】ビニール袋の斜視図
【図６】本発明の実施態様を示した斜視図
【図７】従来のオムツをはずした後、おしぼりで拭く状況を示した斜視図
【発明を実施するための形態】
【００１３】以下、本発明の実施形態を図１〜図７に基ずいて説明する、
【００１４】図において１は、外箱７の上面に張られた寝台２の開口５より、下に入ったビニール袋１１の開放端１２を
引き出しさらに折り返して寝台２や外箱７などを覆いガムテープ１３で貼り付けて固定し流した温水がすべてビニール袋内流れ込むようにした。
【００１５】図２で示すように厚さ２ｃｍほどの発泡樹脂や木材で外箱７はできている
【００１６】図３の寝台２は開口５が最底辺になるように谷折りに曲げられている、
【００１７】図４は、寝台２の下に入れられたビニール袋１１は、その開放端１２が開口５より上方に引き出されている、
【００１８】図５のビニール袋１１は、容量が４５リットルから９０リットルぐらいのものを使用する、
【００１９】図６は、被介助者は頭部を外箱後端９に向け寝台２に仰向けに寝かせ、両足は、広げて外箱７の外箱側壁１外側に出させる、その上で介護人１４は肛門や陰部を洗剤で泡立てて洗ったあと、バケツにある温水１６を手桶１７でかけて洗い流すことができる、さらにタオル１８でよく拭いて新しいオムツ２０に替えると被介助者１５は入浴サービスを受けたようにさっぱりする効果を得る。
【００２０】図７は、オムツをはずしたあと、おしぼりで拭き取るだけの従来のオムツ交換である、
【００２１】ビニール袋１１に溜まった汚水は、あとでトイレに流せばよい。
【００２２】本実施形態によればいつでも、オムツ交換のときに居室内で肛門や陰部を温水洗浄することができ  清潔を保つ効果を得られるものである。
【符号の説明】
【００２３】１      洗浄台
２      寝台
３      寝台前端
４      寝台後端
５      寝台前方付近の開口
６      開口付近で谷折りなった寝台
７      外箱
８      外箱前端
９      外箱後端
１０    外箱側壁
１１    ビニール袋
１２    ビニール袋の開放端
１３    ガムテープ
１４    介護人
１５    被解除者
１６    バケツに入った温水
１７    手桶
１８    タオル
１９    おしぼり
２０    オムツ
【図１】
2014168634.tif 000003
【図２】
2014168634.tif 000004
【図３】
2014168634.tif 000005
【図４】
2014168634.tif 000006
【図５】
2014168634.tif 000007
【図６】
2014168634.tif 000008
【図７】
2014168634.tif 000009